(57)【要約】【課題】  部品点数を削減できて小型化を図れ、導光板への光の照射を効率的に行うことができ、光源からの光のロスを最小限に抑えることができて輝度を上昇することができ、輝度を上昇させることにより、光源の価格を抑えることができてコストダウンを図ることができる液晶モジュールを提供する。【解決手段】  冷陰極管や発光ダイオード等の光源２から導光板１に照射した光を導光板１の入射面１ｂから液晶セル７に向けて入射して液晶セル７に画像を表示するようにした液晶モジュールにおいて、導光板１には、光源２を嵌め込むための溝部１ａが設けられ、この溝部１ａの縁部に反射シート３が貼られ、導光板１における入射面１ｂ以外の全面に反射材４が塗布又は蒸着されている。【選択図】  図１
2008210737.tif 000002
【特許請求の範囲】
【請求項１】
冷陰極管や発光ダイオード等の光源から導光板に照射した光を前記導光板の入射面から液晶セルに向けて入射して前記液晶セルに画像を表示するようにした液晶モジュールにおいて、前記導光板には、前記光源を嵌め込むための溝部が設けられ、この溝部の縁部に反射シートが貼られ、前記導光板における前記入射面以外の全面に反射材もしくは拡散材が塗布又は蒸着もしくは貼着されていることを特徴とする液晶モジュール。
【請求項２】
冷陰極管や発光ダイオード等の光源から導光板に照射した光を前記導光板の入射面から液晶セルに向けて入射して前記液晶セルに画像を表示するようにした液晶モジュールにおいて、前記導光板には、前記光源を嵌め込むための溝部が設けられていることを特徴とする液晶モジュール。
【請求項３】
前記導光板の前記溝部の縁部に反射シートが貼られている請求項２に記載の液晶モジュール。
【請求項４】
前記導光板における前記入射面以外の全面に反射材もしくは拡散材が塗布又は蒸着もしくは貼着されている請求項２に記載の液晶モジュール。
【発明の詳細な説明】
【技術分野】
【０００１】
本発明は、冷陰極管や発光ダイオード等の光源から導光板に照射した光を前記導光板の入射面から液晶セルに向けて入射して前記液晶セルに画像を表示するようにした液晶モジュールに関するものである。
【背景技術】
【０００２】
従来の液晶モジュールは、図２（ａ）に示すように、導光板１０１の側部にランプリフレクタ等の部品１０２が配置され、この部品１０２内に冷陰極管や発光ダイオード等の光源１０３が配置され、導光板１０１の入射面１０１ａ以外の全面に反射材１０４が塗布又は蒸着されていた。更に、導光板１０１の入射面１０１ａの前部に拡散シート１０５と２枚のプリズムシート１０６、１０６を介して液晶セル１０７が配置されていた。そして、導光板１０１の入射面１０１ａから入射された入射光によって液晶セル１０７に映像が表示されるようになっていた。
【０００３】
ところが、図２（ｂ）に示すように、ランプリフレクタ等の部品１０２内の光源１０３から照射された光の内、液晶セル１０７側に向けて照射される光ａは、ランプリフレクタ等の部品１０２の上壁１０２ａの内面に当たり、この光ａは導光板１０１に向けて斜め下向きに照射されてしまうから、この光ａにロスが生じるという問題があった。
【０００４】
第１の従来技術を図３に示す。この従来の導光部一体型放電灯装置は、図３に示すように、導光部２１１と放置室２１３とをガラスで一体に成形し、底面Ａ及び側面Ｂには可視光反射コーティング膜２１２を施すと共に、前面Ｃは磨りガラス加工を施す。（例えば、特許文献１参照）。
【０００５】
ところが、これにおいては、光源を放置室２１３内に上側から入れるようにしているから、スペースが大きくなり、大型化するという問題があった。
【０００６】
第２の従来技術を図４に示す。この従来の液晶モジュールは、図４に示すように、ベゼル３０１内に液晶セル３０２及び導光板３０３が配置され、導光板３０３の裏面や両側面及び上面に貼着される反射シート３０５が設けられ、導光板３０３の下面に嵌合されたランプリフレクタ３０６内にランプ３０７が配置され、ランプ３０７により導光板３０３を介して液晶セル３０２を後方から照らすように形成された液晶モジュールにおいて、導光板３０３の正面上部に反射シート片３１６が貼着されており、その反射シート片３１６で導光板３０３の上部に入射した光線Ｒを反射させるようにした。（例えば、特許文献２参照）。
【０００７】
ところが、これにおいては、ランプ３０７がランプリフレクタ３０６内に配置されているから、ランプ３０７から照射された光がランプリフレクタ３０６の側壁の内面に当たることにより、光にロスが生じるという問題があった。
【０００８】
第３の従来技術を図５に示す。線状光源４０１からの光を導く導光手段を、端面から光を取り込んでその光を表面に出射させる導光板４０４と、この導光板４０４を出射した光を所定の方向に向けるための集光部材４０７とで構成するとともに、集光部材４０７を、導光板４０４からの出射光を導光板４０４の法線に対する角度が小さくなる方向に屈折させる複数のプリズム部４０８と、その出射側に設けられた複数の集光レンズ部４０９とで構成した。（例えば、特許文献３参照）。
【０００９】
ところが、これにおいては、光源４０１がリフレクタ４０３内に配置されているから、光源４０１から照射された光がリフレクタ４０３の壁部の内面に照射されてしまうことにより、光にロスが生じるという問題があった。
【特許文献１】特開平７−３１２１１１号公報
【特許文献２】特開２００６−１７１１６８号公報
【特許文献３】特開平１０−１２０２４号公報
【発明の開示】
【発明が解決しようとする課題】
【００１０】
本発明は、上記従来の問題に鑑みてなされたものであって、部品点数を削減できて小型化を図れ、導光板への光の照射を効率的に行うことができ、光源からの光のロスを最小限に抑えることができて輝度を上昇することができ、輝度を上昇させることにより、光源の価格を抑えることができてコストダウンを図ることができる液晶モジュールを提供することを目的としている。
【課題を解決するための手段】
【００１１】
本発明は、上記課題を解決するために提案されたものであって、請求項１に記載の発明は、冷陰極管や発光ダイオード等の光源から導光板に照射した光を前記導光板の入射面から液晶セルに向けて入射して前記液晶セルに画像を表示するようにした液晶モジュールにおいて、前記導光板には、前記光源を嵌め込むための溝部が設けられ、この溝部の縁部に反射シートが貼られ、前記導光板における前記入射面以外の全面に反射材もしくは拡散材が塗布又は蒸着もしくは貼着されていることを特徴としている。
【００１２】
請求項２に記載の発明は、冷陰極管や発光ダイオード等の光源から導光板に照射した光を前記導光板の入射面から液晶セルに向けて入射して前記液晶セルに画像を表示するようにした液晶モジュールにおいて、前記導光板には、前記光源を嵌め込むための溝部が設けられていることを特徴としている。
【００１３】
請求項３に記載の発明は、請求項２に記載の発明において、前記導光板の前記溝部の縁部に反射シートが貼られている。
【００１４】
請求項４に記載の発明は、請求項２に記載の発明において、前記導光板における前記入射面以外の全面に反射材もしくは拡散材が塗布又は蒸着もしくは貼着されている。
【発明の効果】
【００１５】
請求項１に記載の発明によれば、光源が導光板に設けられた溝部に嵌め込まれるから、ランプリフレクタ等の部品を使用しなくてよくて部品点数を削減することができ、小型化を図ることができる。更に、溝部に嵌め込まれた光源から導光板の入射面に光を直接照射することができるから、光のロスを最小限に抑えることができて輝度を上昇することができる。このように、輝度を上昇することができることにより、光源の価格を抑えることができてコストダウンを図ることができる。また、溝部の縁部に反射シートが貼られているから、光源からの光がこの反射シートに対して反射して導光板に照射されて入射面から入射されることにより、光のロスをより一層抑えることができる。更に、導光板における入射面以外の全面に反射材もしくは拡散材が塗布又は蒸着もしくは貼着されているから、導光板内に照射された光を全て入射面に向けて照射することができて更に輝度の上昇を図ることができる。
【００１６】
請求項２に記載の発明によれば、溝部に嵌め込まれた光源から導光板の入射面に光を直接照射することができるから、光のロスを最小限に抑えることができて輝度を上昇できる。このように、輝度を上昇することができることにより、光源の価格を抑えることができてコストダウンを図ることができる。
【００１７】
請求項３に記載の発明によれば、導光板の溝部の縁部に反射シートが貼られているから、光源からの光がこの反射シートに対して反射して導光板に照射されて入射面から入射されることにより、光のロスをより一層抑えることができる。
【００１８】
請求項４に記載の発明によれば、導光板における入射面以外の全面に反射材もしくは拡散材が塗布又は蒸着もしくは貼着されているから、導光板内に照射された光を全て入射面に向けて照射することができて更に輝度の上昇を図ることができる。
【発明を実施するための最良の形態】
【００１９】
以下、本発明に係る液晶モジュールの実施の形態について、図を参照しつつ説明する。
【００２０】
図１は本発明の実施形態の液晶モジュールを示し、（ａ）はその全体構造を示す分解した側面図、（ｂ）はその導光板における光源からの照射された光が直接又は反射されて入射面から入射される状態を示す説明図である。
【００２１】
本実施形態の液晶モジュールは、図１（ａ）に示すように、導光板１に冷陰極板や発光ダイオード等の光源２を嵌め込むための略Ｕ字形の溝部１ａ設けられ、この溝部１ａの縁部に反射シート３が貼られている。更に、導光板１の入射面１ｂ以外の全面に反射材４が塗布又は蒸着されている。更に、導光板１の入射面１ｂの前部に拡散シート５と２枚のプリズムシート６、６を介して液晶セル７が配置され、導光板１の入射面１ｂから入射された入射光によって液晶セル７に映像が表示されるようになっている。
【００２２】
図１（ｂ）に示すように、導光板１の溝部１ａ内の光源２からの光ｂが溝部１ａから入射面１ｂに直接照射されると共に、光源２から反射シート３に向けられた光ｃは反射シート３で反射されて導光板１内に入り、反射材４によって反射されて入射面１ｂに向けて照射される。更に、光源２から照射された他の光は反射材４によって反射されて入射面１ｂに向けて全て照射される。尚、本実施形態では、反射材４を導光材１に塗布又は蒸着されたものについて説明しているが、反射材４の代わりに拡散材を塗布又は蒸着するかもしくは反射シートを貼着してもよい。
【００２３】
従って、本実施形態によれば、光源２が導光板１に設けられた溝部１ａに嵌め込まれるから、ランプリフレクタ等の部品を使用しなくてよくて部品点数を削減することができ、小型化を図ることができる。更に、溝部１ａに嵌め込まれた光源２から導光板１の入射面１ｂに光を直接照射することができるから、光のロスを最小限に抑えることができて輝度を上昇することができる。このように、輝度を上昇することができることにより、光源２の価格を抑えることができてコストダウンを図ることができる。また、溝部１ａの縁部に反射シート３が貼られているから、光源２からの光がこの反射シート３に対して反射して導光板１に照射されて入射面１ｂから入射されることにより、光のロスをより一層抑えることができる。更に、導光板１における入射面１ｂ以外の全面に反射材４が塗布又は蒸着されているから、導光板１内に照射された光を全て入射面１ｂに向けて照射することができて更に輝度の上昇を図ることができる。
【図面の簡単な説明】
【００２４】
【図１】本発明の実施形態の液晶モジュールを示し、（ａ）はその全体構造を示す分解した状態の側面図、（ｂ）はその導光板における光源からの照射された光が直接又は反射されて入射面から入射される状態を示す説明図である。
【図２】従来の液晶モジュールを示し、（ａ）はその全体構造を示す分解した状態の側面図、（ｂ）はその導光板における光源からの照射された光が反射されて入射面から入射される状態を示す説明図である。
【図３】従来の導光部一体型放電灯装置を示す断面図である。
【図４】従来の液晶モジュールを示す断面図である。
【図５】従来の光源装置を示す断面図である。
【符号の説明】
【００２５】
１      導光板
１ａ    溝部
１ｂ    入射面
２      光源
３      反射シート
４      反射材
５      拡散シート
６      プリズムシート
７      液晶セル
【図１】
2008210737.tif 000003
【図２】
2008210737.tif 000004
【図３】
2008210737.tif 000005
【図４】
2008210737.tif 000006
【図５】
2008210737.tif 000007